(57)【特許請求の範囲】
【請求項１】
半周期毎の交流電源電圧に対して予め設定された時分割期間の夫々において交流電源と光源との接続及び非接続を行うスイッチ手段と、スイッチ手段による交流電源と光源との接続及び非接続に基づいて光源に加えられる交流電圧を平滑にする平滑手段と、平滑手段を介して光源に加えられる交流電圧が予め設定した設定交流電圧と一致するようにスイッチ手段による接続及び非接続を制御する制御手段とを具備しており、スイッチ手段は、交流電源電圧の一周期のうちの一方の半周期での時分割期間の夫々において交流電源と光源との接続及び非接続を行うスイッチ素子としてのＩＧＢＴと、前記一周期のうちの他方の半周期での時分割期間の夫々において交流電源と光源との接続及び非接続を行う他のスイッチ素子としての他のＩＧＢＴとを具備しており、平滑手段は、コイル及び平滑コンデンサを有した平滑回路からなり、ＩＧＢＴは、ゲートが制御手段に、ドレーンが一方の入力端子を介して交流電源に、ソースが他のＩＧＢＴのドレーン及び平滑手段のコイルの一端に夫々連結されており、他のＩＧＢＴは、ゲートが制御手段に、ドレーンがＩＧＢＴのソース及び平滑手段のコイルの一端に、ソースが一方の入力端子を介して交流電源に夫々連結されており、平滑手段のコイルは、その一端でＩＧＢＴのソース及び他のＩＧＢＴのドレーンに連結されており、その他端で平滑コンデンサの一端及び一方の出力端子を介して光源に連結されており、平滑コンデンサは、その一端で平滑手段のコイルの他端に連結されており、その他端で他方の出力端子を介して光源に連結されていると共に他方の入力端子を介して交流電源に連結されており、平滑手段は、前記一方の半周期での時分割期間内にＩＧＢＴにより交流電源及び光源が接続される接続期間と当該時分割期間内にＩＧＢＴに交流電源及び光源が非接続とされる非接続期間とにおいて光源に加えられる交流電圧を平滑にすると共に、前記他方の半周期での時分割期間内に他のＩＧＢＴにより交流電源及び光源が接続される他の接続期間と当該時分割期間内に他のＩＧＢＴによる交流電源及び光源が非接続とされる非接続期間とにおいて光源に加えられる交流電圧を平滑にするようになっている調光器。
【請求項２】
制御手段は、光源に加えられる交流電圧を監視する監視手段と、監視手段による監視の結果に基づいて、光源に加えられる交流電圧が設定交流電圧と一致するように時分割期間の夫々における交流電源と光源との接続期間を決定する決定手段と、決定手段により決定された接続期間をもってスイッチ手段に交流電源と光源とを接続させるための指令を与える指令手段とを具備しており、決定手段は、前記一方の半周期において光源に加えられるべき交流電圧を予め設定した設定交流電圧、前記他方の半周期において光源に加えられるべき交流電圧を予め設定した他の設定交流電圧、前記一方の半周期が時分割されるように予め設定された時分割期間、前記他方の半周期が時分割されるように予め設定された時分割期間、設定交流電圧及び交流電源電圧に基づいて予め設定された接続期間、他の設定交流電圧及び交流電源電圧に基づいて予め設定された他の接続期間、並びに、前記一方の半周期において光源に加えられる交流電圧が設定交流電圧と一致するように監視手段の監視の結果に基づいて接続期間を補正すると共に、前記他方の半周期において光源に加えられる交流電圧が他の設定交流電圧と一致するように監視手段の監視の結果に基づいて他の接続期間を補正する補正プログラムを記憶する記憶部と、この記憶部に記憶されている補正プログラムによる処理を実行する演算処理部とを具備している請求項１に記載の調光器。
【請求項３】
監視手段は、光源に加えられる交流電圧を検出する検出用トランスと、この検出用トランスにより検出した交流電圧をサンプリングして量子化されたデジタル量としての検出交流電圧に変換する電圧変換部とを具備しており、補正プログラムは、監視手段からの検出交流電圧を待ち受ける第一の段階と、監視手段からの前記一方の半周期における検出交流電圧の受信に基づいて当該検出交流電圧と設定交流電圧とを比較する第二の段階と、第二の段階における比較の結果、検出交流電圧と設定交流電圧とが一致する場合には補正期間をゼロ期間として接続期間に対して設定する第三の段階と、第二の段階における比較の結果、検出交流電圧と設定交流電圧とが一致しない場合には当該検出交流電圧の設定交流電圧に対する電圧差に応じた補正期間を接続期間に対して設定する第四の段階と、監視手段からの前記他方の半周期における検出交流電圧の受信に基づいて当該検出交流電圧と他の設定交流電圧とを比較する第五の段階と、第五の段階における比較の結果、検出交流電圧と他の設定交流電圧とが一致する場合には補正期間をゼロ期間として他の接続期間に対して設定する第六の段階と、第五の段階における比較の結果、検出交流電圧と他の設定交流電圧とが一致しない場合には当該検出交流電圧の他の設定交流電圧に対する電圧差に応じた補正期間を他の接続期間に対して設定する第七の段階とを具備している請求項２に記載の調光器。
【発明の詳細な説明】
【技術分野】
【０００１】
本発明は、舞台、スタジオ、ホール等の施設に設置された光源（照明器具）に対する交流電力の供給により光源の調光を行う調光器に関する。
【背景技術】
【０００２】
【特許文献１】特開平１１−９７１８６号公報
【０００３】
例えば特許文献１においては、交流電源と光源との間に介在されたスイッチ素子にトリガ信号（ゲート信号）を与えて交流電源から光源への交流電力の供給の開始及び停止を交流電力の半周期毎に一回ずつ行う調光器が提案されている。
【発明の開示】
【発明が解決しようとする課題】
【０００４】
ところで、斯かる調光器では、交流電源から光源への交流電力の供給の開始及び停止を交流電力の半周期毎に一回ずつ行うために、光源への交流電力の供給の停止期間が生じてしまう結果、交流電源の交流電力を光源に円滑に供給することが困難である。また、交流電源には不規則な電圧変動が生じ得るために、斯かる調光器では一定の交流電圧変動をもって光源に交流電力を供給することが困難である。
【０００５】
本発明は、前記諸点に鑑みてなされたものであり、その目的とするところは、一定の交流電圧変動をもって光源に交流電力を円滑に供給することができる調光器を提供することにある。
【課題を解決するための手段】
【０００６】
本発明の調光器は、半周期毎の交流電源電圧に対して予め設定された時分割期間の夫々において交流電源と光源との接続及び非接続を行うスイッチ手段と、スイッチ手段による交流電源と光源との接続及び非接続に基づいて光源に加えられる交流電圧を平滑にする平滑手段と、平滑手段を介して光源に加えられる交流電圧が予め設定した設定交流電圧と一致するようにスイッチ手段による接続及び非接続を制御する制御手段とを具備している。
【０００７】
本発明の調光器によれば、特に、半周期毎の交流電源電圧に対して予め設定された時分割期間の夫々において交流電源と光源との接続及び非接続を行うスイッチ手段と、スイッチ手段による交流電源と光源との接続及び非接続に基づいて光源に加えられる交流電圧を平滑にする平滑手段とを具備しているために、光源に対して交流電圧を常時加えることができて、光源への交流電力の供給の停止期間をなくし得、しかも、平滑手段を介して光源に加えられる交流電圧が予め設定した設定交流電圧と一致するようにスイッチ手段による接続及び非接続を制御する制御手段を具備しているために、光源に加えられる交流電圧の交流電圧変動を一定の変動にすることができ、而して、一定の交流電圧変動をもって光源に交流電力を円滑に供給することができる。また、本発明の調光器によれば、制御手段によるスイッチ手段の制御により交流電圧の高い交流電源を用いた場合においても一定の交流電圧変動をもって光源に交流電力を円滑に供給することができるので、舞台、スタジオ、ホール等の施設において設置される多数の調光器と交流電源とを接続する給電線の抵抗の低減を図り得る。
【０００８】
本発明の調光器の好ましい例では、制御手段は、光源に加えられる交流電圧を監視する監視手段と、監視手段による監視の結果に基づいて、光源に加えられる交流電圧が設定交流電圧と一致するように時分割期間の夫々における交流電源と光源との接続期間を決定する決定手段と、決定手段により決定された接続期間をもってスイッチ手段に交流電源と光源とを接続させるための指令を与える指令手段とを具備している。このような好ましい例によれば、光源に加えられる交流電圧に速やかに応じてスイッチ手段を制御することができる。
【０００９】
本発明の調光器の好ましい例では、スイッチ手段は、交流電源電圧の一周期のうちの一方の半周期での時分割期間の夫々において交流電源と光源との接続及び非接続を行うスイッチ素子と、前記一周期のうちの他方の半周期での時分割期間の夫々において交流電源と光源との接続及び非接続を行うスイッチ素子とを具備している。このような好ましい例によれば、スイッチ素子の電気的な負担を軽減することができて当該スイッチ素子の発熱を低減させ得、また、一方の半周期において光源に加えられる交流電圧と他方の半周期において光源に加えられる交流電圧とを互いに独立して簡単に調整することができる。
【発明の効果】
【００１０】
本発明によれば、一定の交流電圧変動をもって光源に交流電力を円滑に供給することができる調光器を提供し得る。
【発明を実施するための最良の形態】
【００１１】
次に、本発明の実施の形態の例を、図に示す例に基づいて更に詳細に説明する。尚、本発明はこれら例に何等限定されないのである。
【実施例】
【００１２】
図１及び図２において、本例の調光器１は、図４に示す半周期Ｈ１及びＨ２毎の交流電源電圧に対して予め設定された時分割期間Ｔ１及びＴ２の夫々において交流電源２と光源３との接続及び非接続を行うスイッチ手段４と、スイッチ手段４による交流電源２と光源３との接続及び非接続に基づいて光源３に加えられる交流電圧を平滑にする平滑手段５と、平滑手段５を介して光源３に加えられる交流電圧が予め設定した設定交流電圧Ｇ１及びＧ２と一致するようにスイッチ手段４による接続及び非接続を制御する制御手段６とを具備している。
【００１３】
交流電源２は、例えば５０Ｈｚ又は６０Ｈｚの商用電源等からなり、調光器１の入力端子２３及び３５に連結される。交流電源２は、本例では５０Ｈｚとする。交流電源２の交流電力は、図４に示すような交流電圧波形１０となる。光源３は、ハロゲンランプ等からなり、調光器１の出力端子３３及び３４に連結される。
【００１４】
スイッチ手段４は、交流電源電圧の一周期Ｃのうちの一方の半周期Ｈ１での時分割期間Ｔ１の夫々において交流電源２と光源３との接続及び非接続を行うスイッチ素子１１と、前記一周期Ｃのうちの他方の半周期Ｈ２での時分割期間Ｔ２の夫々において交流電源２と光源３との接続及び非接続を行うスイッチ素子１２とを具備している。
【００１５】
スイッチ素子１１及び１２の夫々は、例えば、ＩＧＢＴ（Ｉｎｓｕｌａｔｅｄ  Ｇａｔｅ  Ｂｉｐｏｌａｒ  Ｔｒａｎｓｉｓｔｏｒ）等のＭＯＳＦＥＴからなる。スイッチ素子１１及び１２の夫々は、ドレーン及びソースの通電が許容された状態（オン状態）にある場合には交流電源２と光源３とを電気的に接続するようになっており、ドレーン及びソースの通電が禁止された状態（オフ状態）にある場合には交流電源２と光源３とを電気的に非接続にするようになっている。スイッチ素子１１及び１２の作動に基づいて光源３に加えられる交流電圧であって平滑手段５により平滑される前の交流電圧は、図５に示すような交流電圧波形１４となる。
【００１６】
スイッチ素子１１は、ゲートが指令部８１に、ドレーンが逆流阻止手段としてのダイオード２１及び高周波除去手段としての交流フィルタ２２を介して一方の入力端子２３に、ソースがスイッチ素子１２のドレーン及び平滑手段５のコイル３１の一端に夫々連結されている。
【００１７】
スイッチ素子１２は、ゲートが指令部８２に、ドレーンがスイッチ素子１１のソース及びコイル３１の一端に、ソースが逆流素子手段としてのダイオード２４及び交流フィルタ２２を介して入力端子２３に夫々連結されている。
【００１８】
平滑手段５は、チョークコイル等のコイル３１及び電解コンデンサ等の平滑コンデンサ３２を有した平滑回路からなり、時分割期間Ｔ１内にスイッチ素子１１により交流電源２及び光源３が接続される接続期間Ａ１と当該時分割期間Ｔ１内にスイッチ素子１１により交流電源２及び光源３が非接続とされる非接続期間Ｂ１とにおいて光源３に加えられる交流電圧を平滑にすると共に、時分割期間Ｔ２内にスイッチ素子１２により交流電源２及び光源３が接続される接続期間Ａ２と当該時分割期間Ｔ２内にスイッチ素子１２により交流電源２及び光源３が非接続とされる非接続期間Ｂ２とにおいて光源３に加えられる交流電圧を平滑にするようになっている。平滑手段５により平滑にされた交流電圧は、図６に示すような交流電圧波形１３となる。
【００１９】
コイル３１は、その一端でスイッチ素子１１のソース及びスイッチ素子１２のドレーンに連結されており、その他端で平滑コンデンサ３２の一端及び一方の出力端子３３に連結されている。
【００２０】
平滑コンデンサ３２は、その一端でコイル３１の他端に連結されており、その他端で他方の出力端子３４及び交流フィルタ２２を介して他方の入力端子３５に連結されている。尚、入力端子３５は、交流フィルタ２２を介して平滑コンデンサ３２の他端及び出力端子３４に連結されている。
【００２１】
斯かる平滑手段５は、コイル３１と平滑コンデンサ３２との協働により交流電圧を平滑にするようになっており、これにより、図４に示す非接続期間Ｂ１及びＢ２においても光源３に交流電圧を加えることができ、また、制御手段６によるスイッチ素子１１及び１２の制御との関係において光源３に対する交流電圧を降圧させることができ、例えば、実効電圧２００Ｖ（ピーク電圧２８０Ｖ程度）の交流電源２の交流電圧を降圧させて、光源３に実効電圧１００Ｖ（ピーク電圧１４０Ｖ程度）の交流電圧を加えることができる。
【００２２】
交流フィルタ２２は、本例では、入力端子２３及び３５に連結されたコンデンサ４１及び４２と、コンデンサ４１及び４２の夫々の一端に連結されたコイル４３と、コンデンサ４１及び４２の夫々の他端に連結されたコイル４４とが組み合わされてなる。コンデンサ４１は、その一端が入力端子２３及びコイル４３の一端に連結されていると共にその他端が入力端子３５及びコイル４４の一端に連結されている。コンデンサ４２は、その一端がコイル４３の他端及びダイオード２１の陽極及びダイオード２４の陰極に連結されていると共にその他端が平滑手段５の平滑コンデンサ３２の他端及び出力端子３４に連結されている。ダイオード２１の陰極は、スイッチ素子１１のドレーンに連結されており、ダイオード２４の陽極は、スイッチ素子１２のソースに連結されている。
【００２３】
制御手段６は、光源３に加えられる交流電圧を監視する監視手段５１と、監視手段５１による監視の結果に基づいて、光源３に加えられる交流電圧が設定交流電圧Ｇ１及びＧ２と一致するように時分割期間Ｔ１及びＴ２の夫々における接続期間Ａ１及びＡ２を決定する決定手段５２と、決定手段５２により決定された接続期間Ａ１及びＡ２をもってスイッチ手段４に交流電源２と光源３とを接続させるための指令を与える指令手段５３とを具備している。
【００２４】
制御手段６は、交流電源２と光源３とを連結する給電線５４を流れる交流電流を検出する電流検出手段５５を更に具備しており、電流検出手段５５により検出した交流電流が予め設定した交流電流を超える場合には調光器１自体の作動を停止させるようになっている。電流検出手段５５は、平滑コンデンサ３２の他端及び交流フィルタ２２のコンデンサ４２の他端間に設置された検出用コイル５６を具備している。
【００２５】
監視手段５１は、光源３に加えられる交流電圧を検出する電圧検出手段としての検出用トランス６１と、検出用トランス６１により検出した交流電圧をサンプリングして量子化されたデジタル量としての検出交流電圧Ｄに変換する電圧変換部としてのＡ／Ｄ変換部６２とを具備している。
【００２６】
検出用トランス６１は、一端が出力端子３３及び平滑コンデンサ３２の一端に連結されていると共に他端が出力端子３４及び平滑コンデンサ３２の他端に連結されている一次コイル６５と、Ａ／Ｄ変換部６２に連結された二次コイル６６とを具備しており、一次コイル６５を介して二次コイル６６に加えられる交流電圧を検出するようになっている。
【００２７】
Ａ／Ｄ変換部６２は、決定手段５２に連結されており、検出交流電圧Ｄを決定手段５２に送信するようになっている。
【００２８】
決定手段５２は、半周期Ｈ１において光源３に加えられるべき交流電圧を予め設定した設定交流電圧Ｇ１、半周期Ｈ２において光源３に加えられるべき交流電圧を予め設定した設定交流電圧Ｇ２、半周期Ｈ１が時分割されるように予め設定された時分割期間Ｔ１、半周期Ｈ２が時分割されるように予め設定された時分割期間Ｔ２、設定交流電圧Ｇ１及び交流電源電圧に基づいて予め設定された接続期間Ａ１、設定交流電圧Ｇ２及び交流電源電圧に基づいて予め設定された接続期間Ａ２、並びに、半周期Ｈ１において光源３に加えられる交流電圧が設定交流電圧Ｇ１と一致するように監視手段５１の監視の結果に基づいて接続期間Ａ１を補正すると共に、半周期Ｈ２において光源３に加えられる交流電圧が設定交流電圧Ｇ２と一致するように監視手段５１の監視の結果に基づいて接続期間Ａ２を補正する補正プログラム７１を記憶している記憶部７２と、記憶部７２に記憶されている補正プログラム７１による処理を実行する演算処理部７３と、時間ｔとの関係における交流電源電圧のゼロクロス７６を検知すると共に当該検知に基づいて、時分割期間Ｔ１及びＴ２、接続期間Ａ１及びＡ２並びに非接続期間Ｂ１及びＢ２を振動子の振動等によって単位期間Ｕ毎にカウントすることによって、半周期Ｈ１と時分割期間Ｔ１、接続期間Ａ１及び非接続期間Ｂ１とを同期させると共に、半周期Ｈ２と時分割期間Ｔ２、接続期間Ａ２及び非接続期間Ｂ２とを同期させる同期部７４とを具備している。
【００２９】
記憶部７２は、ＲＯＭ、ＲＡＭ等により、演算処理部（ＣＰＵ）７３は、マイクロプロセッサ等により夫々具体化される。
【００３０】
補正プログラム７１は、図３に示すように、監視手段５１からの検出交流電圧Ｄを待ち受ける段階１００と、監視手段５１からの半周期Ｈ１における検出交流電圧Ｄの受信に基づいて当該検出交流電圧Ｄと設定交流電圧Ｇ１とを比較する段階１０１と、段階１０１における比較の結果、検出交流電圧Ｄと設定交流電圧Ｇ１とが一致（許容誤差を含む）する場合には補正期間をゼロ期間として接続期間Ａ１に対して設定する段階１０２と、段階１０１における比較の結果、検出交流電圧Ｄと設定交流電圧Ｇ１とが一致しない場合には当該検出交流電圧Ｄの設定交流電圧Ｇ１に対する電圧差に応じた補正期間を接続期間Ａ１に対して設定する段階１０３と、監視手段５１からの半周期Ｈ２における検出交流電圧Ｄの受信に基づいて当該検出交流電圧Ｄと設定交流電圧Ｇ２とを比較する段階１０４と、段階１０４における比較の結果、検出交流電圧Ｄと設定交流電圧Ｇ２とが一致（許容誤差を含む）する場合には補正期間をゼロ期間として接続期間Ａ２に対して設定する段階１０５と、段階１０４における比較の結果、検出交流電圧Ｄと設定交流電圧Ｇ２とが一致しない場合には当該検出交流電圧Ｄの設定交流電圧Ｇ２に対する電圧差に応じた補正期間を接続期間Ａ２に対して設定する段階１０６とを具備している。段階１０２若しくは１０３又は段階１０５若しくは１０６において補正期間（ゼロ期間の設定を含む）を設定した後には、指令手段５３に対して補正期間が設定された接続期間Ａ１又はＡ２を送信し（段階１０７）、段階１００に戻って再び検出交流電圧Ｄを待ち受ける。段階１０１から１０３までの処理は、半周期Ｈ２の期間中に実行され、指令部８１は、当該半周期Ｈ２の次の半周期Ｈ１から補正期間が設定された接続期間Ａ１に従って作動する。段階１０４から１０６までの処理は、半周期Ｈ１の期間中に実行され、指令部８２は、当該半周期Ｈ１の次の半周期Ｈ２から補正期間が設定された接続期間Ａ２に従って作動する。
【００３１】
尚、段階１０３で設定する補正期間は、上記電圧差に応じて増減してもよいが、例えば、検出交流電圧Ｄが設定交流電圧Ｇ１よりも大きい又は小さい場合には、予め定められた固定のマイナス期間又はプラス期間を補正期間として接続期間Ａ１に対して設定してもよい。段階１０６で設定する補正期間もまた、予め定められた固定のマイナス期間又はプラス期間を補正期間として接続期間Ａ２に対して設定してもよい。
【００３２】
演算処理部７３は、記憶部７２から補正プログラム７１を読み出して上記各段階を実行し、実行により得た接続期間Ａ１及びＡ２を指令部８１及び８２に夫々送信するようになっている。演算処理部７３は、記憶部７２に記憶されている期間等の各種データやプログラムを適宜読み出すようになっている、
【００３３】
時分割期間Ｔ１及びＴ２の夫々は、本例では、１０ｍｓｅｃの半周期Ｈ１及びＨ２の夫々が３２０個に時分割されるように、３２μｓｅｃ程度に設定されている。
【００３４】
単位期間Ｕは、本例では、時分割期間Ｔ１及びＴ２の夫々が２５５個に時分割されるように、１２５ｎｓｅｃ程度に設定されている。
【００３５】
接続期間Ａ１及びＡ２の夫々は、時分割期間Ｔ１及びＴ２の夫々が時分割されるように設定された最小の単位期間Ｕを単位としてゼロ個、一個又は複数個選択してなり、例えば、接続期間Ａ１及びＡ２の夫々が最小期間となる場合には単位期間Ｕをゼロ個選択することになり、接続期間Ａ１及びＡ２の夫々が最大期間となる場合には当該接続期間Ａ１及びＡ２の属する時分割期間Ｔ１及びＴ２の夫々を時分割している単位期間Ｕのすべて、本例では単位期間Ｕを２５５個選択することになる。接続期間Ａ１及びＡ２の夫々は、本例では２５６段階（ゼロ期間を含む）の設定が可能となっている。
【００３６】
時分割期間Ｔ１及びＴ２並びに設定交流電圧Ｇ１及びＧ２は、例えば、図示しない操作部の操作により設定されて記憶部７２に記憶される。接続期間Ａ１及びＡ２は、入力端子２３及び３５に連結される交流電源２の交流電源電圧と設定交流電圧Ｇ１及びＧ２とに基づいて所定の比率をもって演算処理部７３で演算処理されることによって自動的に設定されて、記憶部７２に記憶される。接続期間Ａ１及びＡ２は、例えば、交流電源２の交流電圧が実効電圧２００Ｖ（ピーク電圧２８０Ｖ）であって、設定交流電圧Ｇ１及びＧ２が実効電圧１００Ｖ（ピーク電圧１４０Ｖ）である場合には、１２８個程度の単位期間Ｕを選択し、時分割期間Ｔ１及びＴ２に対して５０％程度の期間として設定される。
【００３７】
尚、時分割期間Ｔ１と時分割期間Ｔ２は、本例では互いに等しい長さとなるように設定されているが、例えば互いに異なる長さとなるように設定されてもよい。時分割期間Ｔ１及びＴ２並びに単位期間Ｕの夫々は、上記期間よりも長く又は短く設定されてもよい。
【００３８】
指令手段５３は、演算処理部７３における演算処理の結果としての接続期間Ａ１を受信すると共に当該接続期間Ａ１をもって交流電源２と光源３とを接続させるための指令をスイッチ素子１１に与える指令部８１と、演算処理部７３における演算処理の結果としての接続期間Ａ２を受信すると共に当該接続期間Ａ２をもって交流電源２と光源３とを接続させるための指令をスイッチ素子１２に与える指令部８２とを具備している。
【００３９】
指令部８１及び８２は、本例では交流電源２と光源３とを接続させるための指令としての所定電圧をスイッチ素子１１及び１２の夫々のゲートに与えるようになっている。
【００４０】
主に指令部８１及び８２並びに演算処理部７３は、同期部７４によるゼロクロス７６の検知及びカウントに従って夫々作動される。
【００４１】
以下、本例の調光器１を用いた光源３の調光について詳細に説明する。まず、時分割期間Ｔ１における接続期間Ａ１の開始期の到来と同期して指令部８１によりスイッチ素子１１をオン状態にすることで、交流フィルタ２２、ダイオード２１、平滑手段５等を介して交流電源２と光源３とを電気的に接続させ、この接続によりコイル３１及び平滑コンデンサ３２には交流電源電圧が加えられ、光源３には平滑手段５を介して交流電圧が加えられる。次に、前記接続期間Ａ１の終了期の到来と同期して指令部８１によりスイッチ素子１１をオフ状態にすることで、当該スイッチ素子１１及びダイオード２１を介した交流電源２と光源３とを電気的に非接続とし、この非接続の状態を次の時分割期間Ｔ１における接続期間Ａ１の開始期の到来まで維持し、次の時分割期間Ｔ１の到来により上記と同様にスイッチ素子１１のオンオフ作動を行う。半周期Ｈ１における最終の接続期間Ａ１の終了期の到来と同期して指令部８１によりスイッチ素子１１をオフ状態にし、当該オフ状態を次の半周期Ｈ１における最初の接続期間Ａ１の到来まで維持する。接続期間Ａ１及び非接続期間Ｂ１においては、平滑手段５によって平滑にされた交流電圧が光源３に加えられ、このように半周期Ｈ１において光源３に加えられる交流電圧は、検出用トランス６１により検出され、検出された交流電圧は、Ａ／Ｄ変換部６２によりサンプリングされて量子化されたデジタル量としての検出交流電圧Ｄに変換されて決定手段５２に送信される。
【００４２】
次に、時分割期間Ｔ２における接続期間Ａ２の開始期の到来と同期して指令部８２によりスイッチ素子１２をオン状態にすることで、交流フィルタ２２、平滑手段５、ダイオード２４等を介して交流電源２と光源３とを電気的に接続させ、この接続によりコイル３１及び平滑コンデンサ３２には交流電源電圧が加えられ、光源３には平滑手段５を介して交流電圧が加えられる。次に、前記接続期間Ａ２の終了期の到来と同期して指令部８２によりスイッチ素子１２をオフ状態にすることで、当該スイッチ素子１２及びダイオード２４を介した交流電源２と光源３とを電気的に非接続とし、この非接続の状態を次の時分割期間Ｔ２における接続期間Ａ２の開始期の到来まで維持し、次の時分割期間Ｔ２の到来により上記と同様にスイッチ素子１２のオンオフ作動を行う。半周期Ｈ２における最終の接続期間Ａ２の終了期の到来と同期して指令部９２によりスイッチ素子１２をオフ状態にし、当該オフ状態を次の半周期Ｈ２における最初の接続期間Ａ２の到来まで維持する。接続期間Ａ２及び非接続期間Ｂ２においては、平滑手段５によって平滑にされた交流電圧が光源３に加えられ、このように半周期Ｈ２において光源３に加えられる交流電圧は、検出用トランス６１により検出され、検出された交流電圧は、Ａ／Ｄ変換部６２によりサンプリングされて量子化されたデジタル量としての検出交流電圧Ｄに変換されて決定手段５２に送信される。
【００４３】
決定手段５２は、半周期Ｈ２の期間中に補正期間が設定された接続期間Ａ１を決定し、指令部８１は、当該半周期Ｈ２の次に到来する半周期Ｈ１において当該決定した接続期間Ａ１に従ってスイッチ素子１１に指令を与える。また、決定手段５２は、半周期Ｈ１の期間中に接続期間Ａ２を決定し、指令部８２は、当該半周期Ｈ１の次に到来する半周期Ｈ１において当該決定した接続期間Ａ２に従ってスイッチ素子１２に指令を与える。このように制御手段６によりスイッチ手段４による交流電源２及び光源３の接続及び非接続を制御することで、予め設定した設定交流電圧Ｇ１及びＧ２と同様の交流電圧を光源３に加えることができて、光源３に交流電力を円滑に供給することができる。交流電源２から調光器１に入力される交流電圧としては、実効電圧１００Ｖから２４０Ｖまで適用することができ、斯かる場合には、調光器１から光源３に対して出力される交流電圧としては、実効電圧１００Ｖから２４０Ｖまで、例えば、１００Ｖ、１１０Ｖ、１２０Ｖ、２００Ｖ、２４０Ｖ等に調整可能である。尚、本例は、調光器１から光源３に対して出力される交流電圧を交流電源２から調光器１に入力される交流電圧よりも低く調整するようになっている。
【００４４】
本例の調光器１によれば、半周期Ｈ１及びＨ２毎の交流電源電圧に対して予め設定された時分割期間Ｔ１及びＴ２の夫々において交流電源２と光源３との接続及び非接続を行うスイッチ手段４と、スイッチ手段４による交流電源２と光源３との接続及び非接続に基づいて光源３に加えられる交流電圧を平滑にする平滑手段５と、平滑手段５を介して光源３に加えられる交流電圧が予め設定した設定交流電圧Ｇ１及びＧ２と一致するようにスイッチ手段４による接続及び非接続を制御する制御手段６とを具備しているために、光源３に対して交流電圧を常時加えることができて、光源３への交流電力の供給の停止期間をなくし得、しかも、光源３に加えられる交流電圧の交流電圧変動を一定の変動にすることができ、而して、一定の交流電圧変動をもって光源３に交流電力を円滑に供給することができる。また、本例の調光器１によれば、制御手段６によるスイッチ手段４の制御により交流電圧の高い交流電源２を用いた場合においても一定の交流電圧変動をもって光源３に交流電力を円滑に供給することができるので、舞台、スタジオ、ホール等の施設において設置される多数の調光器１と交流電源２とを接続する給電線の抵抗の低減を図り得る。
【００４５】
本例の調光器１によれば、制御手段６は、光源３に加えられる交流電圧を監視する監視手段５１と、監視手段５１による監視の結果に基づいて、光源３に加えられる交流電圧が設定交流電圧Ｇ１及びＧ２と一致するように時分割期間Ｔ１及びＴ２の夫々における交流電源２と光源３との接続期間Ａ１及びＡ２を決定する決定手段５２と、決定手段５２により決定された接続期間Ａ１及びＡ２をもってスイッチ手段４に交流電源２と光源３とを接続させるための指令を与える指令手段５３とを具備しているために、光源３に加えられる交流電圧に速やかに応じてスイッチ手段４を制御することができる。
【００４６】
本例の調光器１によれば、スイッチ手段４は、交流電源電圧の一周期Ｃのうちの一方の半周期Ｈ１での時分割期間Ｔ１の夫々において交流電源２と光源３との接続及び非接続を行うスイッチ素子１１と、前記一周期Ｃのうちの他方の半周期Ａ２での時分割期間Ｔ２の夫々において交流電源２と光源３との接続及び非接続を行うスイッチ素子１２とを具備しているために、スイッチ素子１１及び１２を半周期Ｈ１及びＨ２毎に休止させることができて当該スイッチ素子１１及び１２の電気的な負担を軽減することができ、スイッチ素子１１及び１２の発熱をも低減させ得、また、一方の半周期Ｈ１において光源３に加えられる交流電圧と他方の半周期Ｈ２において光源３に加えられる交流電圧とを互いに独立して簡単に調整することができ、例えば、半周期Ｈ１において交流電源２から光源３まで流れる交流電流の経路と半周期Ｈ２において交流電源２から光源３まで流れる交流電流の経路とが異なるために半周期Ｈ１において光源３に加えられる交流電圧と半周期Ｈ２において光源３に加えられる交流電圧とに差異が生じてしまう場合においても、制御手段６によって制御されるスイッチ素子１１及び１２の作動に基づき、半周期Ｈ１において光源３に加えられる交流電圧と半周期Ｈ２において光源３に加えられる交流電圧とを相互に調整することができる。
【００４７】
尚、本例の調光器１は、監視手段５１に代えて、検出用トランス６１及び検出用トランス６１に連結されていると共に検出用トランス６１により検出した交流電圧と設定交流電圧Ｇ１及びＧ２とを比較する比較器（コンパレータ）とを具備していてもよく、斯かる場合には、補正プログラム７１の段階１０１及び１０４は不要とされる。
【図面の簡単な説明】
【００４８】
【図１】本発明の実施の形態の例の概念説明図である。
【図２】図１に示す例の主に制御手段の概念説明図である。
【図３】図１に示す例の主に補正プログラムの処理手順に関する説明図である。
【図４】図１に示す例の作動及び交流電源電圧に関する説明図である。
【図５】図１に示す例の作動との関係で生じる交流電圧波形の説明図である。
【図６】図１に示す例の作動との関係で生じる交流電圧波形の説明図である。
【符号の説明】
【００４９】
１  調光器
２  交流電源
３  光源
４  スイッチ手段
５  平滑手段
６  制御手段
【図１】
0004687393.tif 000002
【図２】
0004687393.tif 000003
【図３】
0004687393.tif 000004
【図４】
0004687393.tif 000005
【図５】
0004687393.tif 000006
【図６】
0004687393.tif 000007